(57)【要約】【課題】  任意の場所の暖房装置として使用でき、しかもクリーンで健康な暖房効果を提供する。【解決手段】  自己制御性のある半導体ヒーターを熱源として、特殊セラミックスパウダー不織布を使用することにより、遠赤外線による輻射熱を提供する暖房装置。【選択図】図１
2010261692.tif 000002
【特許請求の範囲】
【請求項１】
暖房装置において、放射線架橋ポリマーと導電性カーボンとの特殊な配合からなる抵抗体素子により自己制御性のある半導体ヒーターを使用することを特徴とする暖房装置。
【請求項２】
暖房装置において、表面に貼った特殊セラミックパウダーを含浸させた不織布により、遠赤外線、マイナスイオン、アルファー波を発生させることを特徴とする暖房装置。
【請求項３】
暖房装置において、発熱体を中核にして保温用反射板、難燃性断熱材、特殊パウダー含浸不織布を積層して木製等の枠材に組み込み単体で構成することを特徴とする暖房装置。
【請求項４】
暖房装置において、木製等の枠材に組み込んだ単体の暖房装置に脱着自在の接合金具の一方を取付け、接合する相手の金具を壁面、家具の側面、机の下部に取付け、任意の場所に設置することを特徴とする暖房装置。
【請求項５】
暖房装置において、暖房装置を設置した机又は座卓の上に、特殊セラミックパウダーを含浸させた特殊の不織布をカバーすることにより、暖房効果を増大させることを特徴とする暖房装置。
【発明の詳細な説明】
【発明の詳細な説明】
【技術分野】
【０００１】  この発明は、室内の暖房において、任意の部分に設置可能の暖房装置に関する。コンパクトで遠赤外線、マイナスイオン、アルファー波を発生する暖房装置に関する。
【背景技術】
【０００２】  従来、室内の暖房は、電気、ガス、灯油ストーブなど直接熱を発生させる暖房器具によりなされている。またエアコンなど部屋の空気を熱して暖める暖房装置によりなされている。しかしながら、直接暖房はヤケドの心配と室内の空気を汚染させて健康を阻害する恐れがある。またエアコンも上下の温度差があり、チリ、ホコリが舞い上がり健康を阻害する恐れがある。最近は面発熱体や温水パイプを床下に敷設する床暖房装置が使われている。しかしながら、床暖房は、低湿やけどの可能性があり、家具の置き場所が制限される欠点がある。【０００３】  また夏場、事務所など膝下、足元がクーラーで冷え過ぎて、健康を害する例が増えている。膝下の部分暖房の欲求があるが、現在の暖房機などは設置場所に制限があり、任意の場所に設置できる省スペースの暖房装置は見当たらない。
【発明が解決しようとする課題】
【０００４】  この発明は、このような状況に鑑み考案されたもので、暖房装置としてコンパクトな寸法（厚み１５ｍｍ×幅３００ｍｍ×長さ９００ｍｍ）で、特殊な取付け金具により任意な場所に設置でき、しかも遠赤外線の輻射熱によりクリーンで安全な暖房装置を提供しようとするものである。
【課題を解決するための手段】
【０００５】  前記目的を達成するこの発明は、自己制御半導体ヒーターに特殊セラミックスパウダーを含浸させた不織布と保温用反射板を積層した暖房装置において、遠赤外線、マイナスイオン、アルファー波などを発生させることを特徴とする暖房装置に関わるものである。
【発明を実施するための形態】
【０００６】  以下添付の図面に従って、この発明を詳細に説明する。
図１は、この発明の一実施例に係る暖房装置を示す断面図、図２は，自己制御発熱体の構成を示す斜視図、図３は、暖房装置の取付けを示す金具の断面図、図４は、壁、建具の側面に取付ける暖房装置を示す説明図、図５は、机、座卓等に暖房装置を取付けた状態を示す説明図、図６は、特殊セラミックパウダーを含浸させた不織布を使用を示す説明図、図７は、床上に暖房装置を設置することにより足下より身体を暖める効果を示す説明図である。
【０００７】  図１に示すこの発明の暖房装置１０は、木質合板２の溝３に自己制御発熱体１を挟み込み、両面に重ねるように保温用反射アルミ板３と保温用反射ステンレス板４を接着し、難燃性保温ウレタン５と特殊セラミックス・パウダー含浸の不織布６を積層することにより構成される。
【０００８】  図２に示す自己制御性半導体発熱体１は、ニクロム線タイプではなく、架橋性ポリマーと導電性カーボンとの特殊な配合からなっている。温度が高くなるとポリマーが膨脹してカーボンの結合が密になるため、抵抗値が増大して電流が流れにくくなり、電力が減少し、温度が低くなるとポリマーが収縮してカーボンの結合が粗くなる。この減少が抵抗値を減衰させ、電流が流れやすくなることで電力が増加するという特性を持っている。
【０００９】  図３に示す接合金具８−Ａ，８−Ｂは、摂氏マイナス１００度からプラス１３５度まで変形しない特殊の機能樹脂で作られている。断面形状がＡ＋Ｂに示すように相互に嵌め込む形になっている。
【００１０】  図４に示す暖房装置１０に取付けた接合金具８−Ａの位置に合わせた壁Ｗ，建具Ｔの側面に接合金具８−Ｂを取付け、暖房装置１０を嵌め込むことで遠赤外線暖房が得られる。
【００１１】  図５に示す机Ｄ，座卓ＺＤの天板の下部・裏側Ｔに接合金具８−Ｂを取付け、暖房装置１０に付けた接合金具８−Ａを嵌め合せることで遠赤外線暖房が得られる。
【００１２】  図６に示す特殊セラミックスパウダーを含浸した不織布６を暖房装置を付けた机Ｄ、座卓ＺＤの上に被せることにより、遠赤外線暖房との相乗効果が発生することになる。
【００１３】  図７に示す暖房装置１０を床上に設置することにより足下より身体を暖める足温機効果が得られる。
【００１４】  本発明の暖房装置の発熱体は、従来使われているニクロム線タイプや面状発熱体とは違う、半導体ヒーターを使用しているので、その半導体ヒーターによって無駄のない熱効率が得られる。自動的に電気量を増減する自己制御性半導体ヒーターにより、プレカー工事の必要が無く、工事経費の節減が実現する。
【００１５】  本発明の暖房装置は、特殊セラミックスパウダーの不織布を通過する遠赤外線の効果に加えて、マイナスイオン効果、アルファー波効果が得られる。
【００１６】  本発明の暖房装置は、座卓の内部に設置でき、特殊のセラミックスパウダーを含浸した不織布を被せることにより、膝・腰の関節を内部から暖め、血行を良くする効果が得られる。
【実施例】
【００１７】  この実施例で用いた暖房装置の本体１０の原料および接合金具は次の通りである。
2010261692.tif 000003
【発明の効果】
【００１８】  以上図示し説明したように、この発明の暖房装置においては、特殊半導体ヒーターをはじめ全ての材料を標準化し、ユニット形式で簡単に設置できるので、工事必要時間の短縮、工事経費の節減が実現する。また壁面、家具の一部に簡単に設置できるので、トイレ暖房、浴室暖房も容易であり、３種の波長「遠赤外線」、「マイナスイオン」、「アルファー波」が自然放出されるので、健康促進に貢献する。
【図面の簡単な説明】
【図１】  暖房装置を構成する断面図
【図２】  自己制御発熱体の構成図
【図３】  暖房装置を取付けるための金具の断面図
【図４】  壁、建具の側面に設置する暖房装置の説明図
【図５】  机、座卓などに暖房装置を取付けた説明図
【図６】  特殊セラミックパウダーを含浸させた不織布を使用の説明図
【図７】  暖房装置を床上に設置した足温機の説明図
【符号の説明】    １．        発熱体
２．        合板
２−Ａ      合板の溝
３．        アルミ板
４．        ステンレス板
５．        難燃ウレタン
６．        特殊セラミッスパウダー含浸不織布
７．        木枠
８．        取付け金具
１０．        暖房装置
Ｈ          発熱導体
Ｃ          メッキ銅編組
Ｊ          絶縁用ジャケット
Ｗ          壁
Ｔ          建具
Ｄ          デスク
【図１】
2010261692.tif 000004
【図２】
2010261692.tif 000005
【図３】
2010261692.tif 000006
【図４】
2010261692.tif 000007
【図５】
2010261692.tif 000008
【図６】
2010261692.tif 000009
【図７】
2010261692.tif 000010